(57)【要約】【課題】既存の部材を流用して屋根部材を安価に提供する。【解決手段】左右の縦杆２２と各縦杆２２の上下両端を連結する上下の横杆２３とからなる枠体２０を備えた複数枚の柵部材２の互いに隣接し合う左右方向端２１同士をサークル本体１０Ａの第１及び第２直線部１１ａ，１１ｂにおいて直線部用固定具３により連結すると共に角部１２において角部用固定具４により連結してペット用サークル１Ａを構成する。各柵部材２の枠体２０と同一の枠体７０よりなる屋根部材７を２枚組み合わせた状態で、扇状連結部材４１及び長尺材３２の上面に載置し、サークル本体１０Ａの上方へ開口する開口部１９Ａを閉塞する。各屋根部材７を、サークル本体に対し脱着自在な固定具８を介して固定するとともに、屋根部材７同士を、そのうちの一方の屋根部材７の固定具８による固定が解除されたときに他方の屋根部材７に対し開閉されるようにヒンジ８９を介して支持している。【選択図】図２
2014050342.tif 000002
【特許請求の範囲】
【請求項１】
断面略矩形状の左右の縦杆とこれらの縦杆の上下両端を連結する断面略矩形状の上下の横杆とからなる枠体を備えた複数枚の柵部材の互いに隣接し合う左右方向端同士を、平面視でのサークル本体の真直ぐな直線部及び直角な角部においてそれぞれ連結して構成されるペット用サークルにおいて、前記サークル本体の上方へ開口する開口部を閉塞する屋根部材を用いた屋根構造であって、
前記各柵部材のうち、前記サークル本体の直線部において互いに相隣なる双方の柵部材は、互いの左右方向端同士の表裏両側辺をそれぞれ突き合わせた状態で直線部用固定具により連結されている一方、前記サークル本体の角部において互いに相隣なる双方の柵部材は、互いの左右方向端同士の裏側辺のみを突き合わせた状態で角部用固定具により連結され、
前記各柵部材には、それぞれの枠体の四隅を当該各柵部材の表裏方向に貫通する貫通孔が設けられ、
前記直線部用固定具は、前記サークル本体の直線部において互いに相隣なる双方の柵部材の前記貫通孔に対応する直線部用対応孔を長手方向両端部に有する長尺材を当該双方の柵部材に亘って締結するように前記貫通孔及び前記直線部用対応孔にそれぞれ挿通される長尺材用締結具を備えている一方、
前記角部用固定具は、前記サークル本体の角部において互いに相隣なる双方の柵部材の左右方向端同士の裏側辺に隣接する裏側面に対しそれぞれ半径面部が対面するように中心角度が９０°の扇状に形成され、かつ前記貫通孔に対応する角部用対応穴を前記各半径面部に有する扇状連結部材と、この扇状連結部材を前記サークル本体の角部において互いに相隣なる双方の柵部材の枠体の裏側面に締結するように前記貫通孔から前記角部用対応穴にそれぞれ挿通される螺着具と、を備え、
前記長尺材及び前記扇状連結部材は、前記各柵部材の上端に対し当該各柵部材の表裏方向の厚み未満の間隔を存して裏側面にそれぞれ取り付けられており、
前記屋根部材は、前記貫通孔を四隅に有する前記各柵部材と同一の枠体を備え、前記サークル本体の開口部を閉塞するに必要な枚数を組み合わせた状態で、前記扇状連結部材及び前記長尺材の上面に載置されて前記サークル本体の内側に沿って設置され、
前記各屋根部材は、前記サークル本体に対し脱着自在な固定具を介して固定されているとともに、互いに相隣なる屋根部材同士は、そのうちの一方の屋根部材の前記サークル本体に対する前記固定具の固定が解除されたときに他方の屋根部材に対し開閉されるように開閉具を介して支持されていることを特徴とするペット用サークルの屋根構造。
【請求項２】
前記各屋根部材のうちの一方の屋根部材を開閉させる他方の屋根部材が複数隣接して設けられ、その互いに隣接する他方の屋根部材同士が、それぞれの前記貫通孔及び前記直線部用対応孔に前記長尺材用締結具を挿通させた前記長尺材によって締結されている請求項１に記載のペット用サークルの屋根構造。
【請求項３】
前記固定具は、
前記柵部材の枠体及び前記屋根部材の枠体のいずれか一方に固定され、係合片を有する第１部材と、
前記柵部材の枠体及び前記屋根部材の枠体のいずれか他方に固定された第２部材と、
前記第２部材に一端が取り付けられ、前記第１部材の係合片に係脱自在に係合する係合部を他端に備えた弾性帯材と、
を備えている請求項１又は請求項２に記載のペット用サークルの屋根構造。
【請求項４】
前記第１部材及び前記第２部材のいずれか一方は、前記貫通孔に対応する対応孔を備え、この貫通孔に挿通される前記長尺材用締結具又は前記螺着具が前記対応孔にも挿通されて共締めされている請求項３に記載のペット用サークルの屋根構造。
【発明の詳細な説明】
【技術分野】
【０００１】
本発明は、犬などのペット用サークルに関し、詳しくは、サークル本体の上方へ開口する開口部を閉塞する屋根部材を用いた屋根構造に係る。
【背景技術】
【０００２】
近年、子犬等のペットを家屋内の一定の場所に入れておくために、ペット用サークルが用いられている。
【０００３】
このペット用サークルは、断面略矩形状の左右の縦杆とこれらの縦杆の上下両端同士を連結する断面略矩形状の横杆とを有する枠体を備えた複数枚の柵部材を真直ぐおよび／または直角に連結具により連結して構成され、そのサークル本体内にペットを収容するようにしている（特許文献１参照）。
【先行技術文献】
【特許文献】
【０００４】
【特許文献１】特開２００７−１８９９３８号公報
【発明の概要】
【発明が解決しようとする課題】
【０００５】
ところで、ペット用サークルが複数の柵部材によって外郭のみが構成されているため、サークル本体の上方へ開口部が開口しており、サークル本体内のペットが柵部材を乗り越えて飛び出すおそれがある。また、ペット用サークル内のペットとは分けておきたいペット用サークル外のペットが柵部材を乗り越えてペット用サークル内に侵入するおそれもある。
【０００６】
そこで、サークル本体の上方へ開口する開口部を閉塞する専用の屋根部材を複数枚用い、サークル本体内のペットの飛び出しや、サークル本体外からの他ペットの侵入を確実に防止することが考えられる。しかし、サークル本体の開口部を閉塞する屋根部材としては、柵部材とは異なる専用のものが用いられるため、屋根部材を新たに製作する必要があり、屋根部材の価格が高くなる。
【０００７】
本発明は、かかる点に鑑みてなされたものであり、その目的とするところは、既存の部材を流用して屋根部材を安価に提供することにある。
【課題を解決するための手段】
【０００８】
前記目的を達成するため、本発明では、断面略矩形状の左右の縦杆とこれらの縦杆の上下両端を連結する断面略矩形状の上下の横杆とからなる枠体を備えた複数枚の柵部材の互いに隣接し合う左右方向端同士を、平面視でのサークル本体の真直ぐな直線部及び直角な角部においてそれぞれ連結して構成されるペット用サークルにおいて、前記サークル本体の上方へ開口する開口部を閉塞する屋根部材を複数用いた屋根構造を前提とする。そして、前記各柵部材のうち、前記サークル本体の直線部において互いに相隣なる双方の柵部材を、互いの左右方向端同士の表裏両側辺をそれぞれ突き合わせた状態で直線部用固定具により連結する一方、前記サークル本体の角部において互いに相隣なる双方の柵部材を、互いの左右方向端同士の裏側辺のみを突き合わせた状態で角部用固定具により連結する。また、前記各柵部材に、それぞれの枠体の四隅を当該各柵部材の表裏方向に貫通する貫通孔を設け、前記直線部用固定具に、前記サークル本体の直線部において互いに相隣なる双方の柵部材の前記貫通孔に対応する直線部用対応孔を長手方向両端部に有する長尺材を当該双方の柵部材に亘って締結するように前記貫通孔及び前記直線部用対応孔にそれぞれ挿通される長尺材用締結具を設ける。一方、前記角部用固定具に、前記サークル本体の角部において互いに相隣なる双方の柵部材の左右方向端同士の裏側辺に隣接する裏側面に対しそれぞれ半径面部が対面するように中心角度が９０°の扇状に形成され、かつ前記貫通孔に対応する角部用対応穴を前記各半径面部に有する扇状連結部材と、この扇状連結部材を前記サークル本体の角部において互いに相隣なる双方の柵部材の枠体の裏側面に締結するように前記貫通孔から前記角部用対応穴にそれぞれ挿通される螺着具と、を設ける。更に、前記長尺材及び前記扇状連結部材を、前記各柵部材の上端に対し当該各柵部材の表裏方向の厚み未満の間隔を存して裏側面にそれぞれ取り付ける。そして、前記各屋根部材は、前記貫通孔を四隅に有する前記各柵部材と同一の枠体を備え、前記サークル本体の開口部を閉塞するに必要な枚数を組み合わせた状態で、前記扇状連結部材及び前記長尺材の上面に載置されて前記サークル本体の内側に沿って設置される。また、前記各屋根部材は、前記サークル本体に対し脱着自在な固定具を介して固定されているとともに、互いに相隣なる屋根部材同士は、そのうちの一方の屋根部材の前記サークル本体に対する前記固定具の固定が解除されたときに他方の屋根部材に対し開閉されるように開閉具を介して支持されていることを特徴としている。
【０００９】
また、前記各屋根部材のうちの一方の屋根部材を開閉させる他方の屋根部材が複数隣接して設けられ、その互いに隣接する他方の屋根部材同士が、それぞれの前記貫通孔及び前記直線部用対応孔に長尺材用締結具を挿通させた前記長尺材によって締結されていることが好ましい。
【００１０】
また、前記固定具は、前記柵部材の枠体及び前記屋根部材の枠体のいずれか一方に固定され、係合片を有する第１部材と、前記柵部材の枠体及び前記屋根部材の枠体のいずれか他方に固定された第２部材と、この第２部材に一端が取り付けられ、前記第１部材の係合片に係脱自在に係合する係合部を他端に備えた弾性帯材と、を設けることが好ましい。
【００１１】
更に、前記第１部材及び前記第２部材のいずれか一方は、前記貫通孔に対応する対応孔を備え、この貫通孔に挿通される前記長尺材用締結具又は前記螺着具が前記対応孔にも挿通されて当該長尺材用締結具により共締めされていることが好ましい。
【発明の効果】
【００１２】
以上、要するに、各柵部材と同一の枠体を備えた屋根部材を用いることで、各柵部材が屋根部材として流用されて、屋根部材を新たに製作する必要がなく、屋根部材を安価に提供することができる。
【００１３】
しかも、屋根部材が固定具によってサークル本体に対し脱着自在に固定されているので、屋根部材が不慮に外れることがなく、サークル本体内のペットの飛び出しや、ペット用サークル外からの他ペットの侵入をより確実に防止することができる。
【００１４】
更に、一方の屋根部材のサークル本体に対する固定具の固定が解除されたときに、他方の屋根部材に対し一方の屋根部材が開閉具を介して開閉されるので、サークル本体の上方へ開口する開口部を開放させる際に、屋根部材を取り外す必要がなく、簡単に開閉させることができる。
【００１５】
また、互いに隣接する他方の屋根部材同士を、それぞれの貫通孔及び直線部用対応孔に長尺材用締結具を挿通させた長尺材によって締結することで、扇状連結部材及び長尺材の上面に載置されない屋根部材の重量による撓みが長尺材によって抑制され、サークル本体の開口部を屋根部材によって円滑に閉塞することができる。
【００１６】
また、第２部材に一端を取り付けた弾性帯材の他端の係合部を第１部材の係合片に係脱自在に係合する固定具によって屋根部材の枠体を柵部材の枠体に固定することで、簡単な構成で屋根部材をサークル本体に固定することができる。しかも、係合部と係合片との係脱により固定具を簡単に係脱させることができる。
【００１７】
更に、貫通孔に挿通される長尺材用締結具又は螺着具を第１部材及び第２部材のいずれか一方の対応孔にも挿通させて共締めすることで、第１部材及び第２部材のいずれか一方を固定するための固定具が不要となり、部品点数を削減して、屋根部材をより安価に提供することができる。
【図面の簡単な説明】
【００１８】
【図１】本発明の第１の実施の形態に係るペット用サークルの屋根構造を示す平面図である。
【図２】図１のペット用サークルの斜視図である。
【図３】図２のペット用サークルのサークル本体を形成する柵部材単体の斜視図である。
【図４】図２のペット用サークルのサークル本体を形成する出入口用柵部材単体の斜視図である。
【図５】図２のペット用サークルのサークル本体の第２直線部において互いに相隣なる双方の柵部材の左右方向端同士を連結する直線部用固定具の分解斜視図である。
【図６】図２のペット用サークルのサークル本体の角部において互いに相隣なる双方の柵部材の左右方向端同士を連結する角部用固定具の分解斜視図である。
【図７】図５の角部用固定部により連結される柵部材の左右方向端同士を斜め下方から見た斜視図である。
【図８】固定具の斜視図であって、（ａ）は屋根部材の外方へ平ゴムを引っ張った状態を示し、（ｂ）は引っ張った平ゴムを下方へ引き延ばした状態を示し、（ｃ）は平ゴム先端のＤカンを係合片に係合させた状態を示している。
【図９】一方の屋根部材を開放させた状態でのペット用サークルの斜視図である。
【図１０】第１の実施の形態の変形例に係るペット用サークルの平面図である。
【図１１】本発明の第２の実施の形態に係るペット用サークルの平面図である。
【図１２】図１１のペット用サークルの斜視図である。
【図１３】本発明の第３の実施の形態に係るペット用サークルの平面図である。
【図１４】図１３のペット用サークルの斜視図である。
【図１５】本発明の第４の実施の形態に係るペット用サークルの平面図である。
【図１６】図１５のペット用サークルの斜視図である。
【発明を実施するための形態】
【００１９】
以下、本発明の実施の形態を添付した図面により詳細に説明する。
【００２０】
先ず、図１は本発明の第１の実施の形態に係るペット用サークルの屋根構造を示す平面図、図２はペット用サークルの斜視図、図３はペット用サークルのサークル本体を形成する柵部材単体の斜視図、図４はペット用サークルのサークル本体を形成する出入口用柵部材単体の斜視図、図５はペット用サークルのサークル本体の第２直線部において互いに相隣なる双方の柵部材の左右方向端同士を連結する直線部用固定具の分解斜視図、図６はペット用サークルのサークル本体の角部において互いに相隣なる双方の柵部材の左右方向端同士を連結する角部用固定具の分解斜視図、図７は角部用固定部により連結される柵部材の左右方向端同士を斜め下方から見た斜視図、図８は固定具の斜視図、図９は一方の屋根部材を開放させた状態でのペット用サークルの斜視図をそれぞれ示している。
【００２１】
図１及び図２において符号１Ａで示すペット用サークルは、木製の枠体２０を備えた複数枚の柵部材２，２，…の互いに隣接し合う左右方向端２１，２１同士を、平面視で見てサークル本体１０Ａの真直ぐな第１及び第２直線部１１ａ，１１ｂ及び直角に折れ曲がる角部１２においてそれぞれ連結して略矩形枠状に構成される。枠体２０は、図３にも示すように、断面略矩形状の左右の縦杆２２，２２と、これらの縦杆２２，２２の互いに向き合う対向面２２０，２２０の上下両端同士をそれぞれ連結する断面略矩形状の上下の横杆２３，２３とからなる。各柵部材２の枠体２０は、略正方形枠状に形成され、横杆２３，２３の間を左右方向所定間隔置き（例えば５〜７ｃｍ置き）に上下方向に連結する柵棒体２４，２４，…を備えている。
【００２２】
また、サークル本体１０Ａは、縦方向（図１では上下方向）の１枚の柵部材２と、横方向（図１では左右方向）に直線状に連結した２枚の柵部材２，２とからなり、この２枚の柵部材２，２によって横方向に延びる第１及び第２直線部１１ａ，１１ｂが構成されている。そして、各直線部１１ａ，１１ｂのうち、一方（図１では下側）の第１直線部１１ａの２枚の柵部材２，２のうちの１枚としては、柵部材としての出入口用柵部材６が用いられている。
【００２３】
更に、図４に示すように、出入口用柵部材６は、左右の縦杆６２，６２とこれらの縦杆６２の互いに向き合う対向面６２０，６２０の下端同士を連結する横杆６３とからなる略コの字状の枠体６０を備え、この枠体６０の外形寸法は各柵部材２の枠体２０の外形寸法と一致している。また、出入口用柵部材６は、左右の縦杆６２，６２及び単一の横杆６３により形成された出入口６８を開閉する扉６９を備えている。更に、出入口用柵部材６は、その各縦杆６２が各柵部材２の縦杆２２よりも幅広（例えば縦杆２２の略２倍の左右方向幅）に形成されている。また、扉６９は、枠体６０を構成する一方の縦杆６２（図４では右側の縦杆）にヒンジ金具（図示せず）を介して揺動自由に支持されている。この扉６９は、矩形枠状に形成され、その枠内にも柵棒体２４，２４，…を備えている。なお、符号６１は出入口用柵部材６の左右方向端（縦杆６２の左右方向端）であり、６１１，６１２は表側辺及び裏側辺である。
【００２４】
また、図５に示すように、サークル本体１０Ａの第１及び第２直線部１１ａ，１１ｂ上において互いに相隣なる双方の柵部材２，２（又は出入口用柵部材６）は、その隣接し合う一方の左右方向端２１，２１（又は６１）同士の表裏両側辺２１１，２１２（又は６１１，６１２）をそれぞれ突き合わせた状態で直線部用固定具３により連結されている。一方、図６に示すように、サークル本体１０Ａの角部１２において互いに相隣なる、第１及び第２直線部１１ａ，１１ｂ上の柵部材２又は出入口用柵部材６と縦方向の柵部材２とは、その隣接し合う他方の左右方向端２１，２１，６１同士の裏側辺２１２，２１２，６１２のみを突き合わせた状態で角部用固定具４により直角に連結されている。
【００２５】
前記各柵部材２の枠体２０の四隅（隅部）には、上下の横杆２３，２３の左右両端を当該各柵部材２の表裏方向（図３では手前奥方向）に貫通する貫通孔２５が設けられている。また、出入口用柵部材６の枠体６０の四隅つまり各縦杆６２の上下両端部にも貫通孔２５が設けられている。
【００２６】
直線部用固定具３は、サークル本体１０Ａの第１及び第２直線部１１ａ，１１ｂ上において互いに相隣なる双方の柵部材２，２（又は出入口用柵部材６）の一方の左右方向端２１（又は６１）同士の貫通孔２５に対応する直線部用対応孔３１，３１を長手方向両端部に有する合成樹脂製の長尺材３２を有し、かつこの長尺材３２を当該双方の柵部材２，２（又は出入口用柵部材６）に亘って締結するように貫通孔２５及び直線部用対応孔３１にそれぞれ挿通される長尺材用締結具３３を備えている。この長尺材用締結具３３は、長さ方向一端に回転操作用フランジ３３１を備えた螺子軸３３２と、長さ方向一端に回転操作用フランジ３３３を有し、かつ螺子軸３３２を螺合可能とする螺子筒３３４とをそれぞれ備えている。そして、長尺材用締結具３３は、サークル本体１０Ａの第１及び第２直線部１１ａ，１１ｂ上において互いに相隣なる双方の柵部材２，２（又は出入口用柵部材６）の一方の左右方向端２１（又は６１）同士の貫通孔２５に対し長尺材３２の左右方向両端部の直線部用対応孔３１，３１を対応させた状態で、各直線部用対応孔３１から螺子軸３３２を挿通し、各貫通孔２５から挿通した螺子筒３３４に螺合することで、当該双方の柵部材２，２（又は出入口用柵部材６）に亘って長尺材３２を締結している。この場合、長尺材３２は、各柵部材２及び出入口用柵部材６の枠体２０，６０の上端に対し当該各枠体２０，６０の表裏方向の厚み未満の間隔、例えば各枠体２０，６０の表裏方向の厚みの略三分の二程度の間隔を存して裏側面２２１，６２１に取り付けられている。
【００２７】
一方、図７にも示すように、角部用固定具４は、中心角度が９０°の扇状に形成された扇状連結部材４１と、この扇状連結部材４１をサークル本体１０Ａの角部１２において互いに相隣なる双方の柵部材２，２（又は出入口用柵部材６）の枠体２０（又は６０）の裏側面２２１（又は６２１）における縦杆２２の上下両端に締結する螺着部材４２（螺着具）とを備えている。扇状連結部材４１は、サークル本体１０Ａの角部１２において互いに相隣なる双方の柵部材２，２（又は出入口用柵部材６）の他方の左右方向端２１，２１（又は６２）同士の裏側辺２１２（又は６１２）に隣接する裏側面２２１（又は６２１）に対しそれぞれ対面する半径面部４１１，４１１を有し、この各半径面部４１１には貫通孔２５に対応する角部用対応穴４１２が設けられている。また、螺着部材４２は、軸材の側部にねじ孔４３１を有するナット４３と、このナット４３のねじ孔４３１に螺着されるねじ４４とを備えている。更に、扇状連結部材４１の一側面４１３には、ナット４３を収納するナット収納穴４１４，４１４が設けられ、この各ナット収納穴４１４は、各半径面部４１１の対応穴４１２に対して直交している。
【００２８】
各ナット４３は、扇状連結部材４１のナット収納穴４１４の径よりやや小さい径の金属軸材からなり、この軸部材の頭部には＋状の溝４３２が形成されている。そして、角部用固定具４は、角部１２において互いに相隣なる双方の柵部材２，２の他方の左右方向端２１，２１同士の貫通孔２５に対し扇状連結部材４１の各半径面部４１１の角部用対応穴４１２を対応させた状態で、各ナット収納穴４１４にナット４３を収納してから、貫通孔２５を介して対応穴４１２に挿通させたねじ４４をナット４３のねじ孔４３１に螺着することで、当該双方の柵部材２，２に扇状連結部材４１を締結している。このとき、各ナット４３の頭部をその溝４３２に装填したドライバーなどにより回転させることで、対応穴４１２にねじ孔４３１を合致させて当該ねじ孔４３１に対するねじ４４の螺着を可能にしている。このねじ４４は、各横杆２３の貫通孔２５及び角部用対応穴４１２を介してナット４３のねじ孔４３１に螺着可能な長さに設定されている。この場合、扇状連結部材４１も、各柵部材２及び出入口用柵部材６の枠体２０，６０の上端に対し当該各枠体２０，６０の表裏方向の厚み未満の間隔、例えば各枠体２０，６０の表裏方向の厚みの略三分の二程度の間隔を存して裏側面２２１，６２１に取り付けられている。
【００２９】
そして、サークル本体１０Ａは、家屋内に設置されるものであるが、サークル本体１０Ａの上方へ開口する開口部１９Ａを閉塞する屋根部材７を備え、サークル本体１０Ａ内からのペットの飛び出しや、サークル本体１０Ａ外からの他のペットの侵入を防止している。屋根部材７は、貫通孔２５を四隅に有する各柵部材２と同一の枠体７０を備え、サークル本体１０Ａの開口部１９Ａを閉塞するに必要な２枚を組み合わせた状態で、角部用固定具４の扇状連結部材４１及び直線部用固定具３の長尺材３２の上面に対し枠体７０の３辺がそれぞれ載置され、サークル本体１０Ａの内側に沿って設置されている。この屋根部材７の枠体７０にも、柵棒体２４，２４，…が設けられている。
【００３０】
更に、図８に示すように、２枚の屋根部材７，７は、サークル本体１０Ａに対し脱着自在な固定具８を介して固定されている。この固定具８は、柵部材２の枠体２０に固定され、かつフック状の係合片８１を有する環状の第１部材８２と、屋根部材７の枠体７０に固定された環状の第２部材８３と、この第２部材８３に基端が取り付けられ、第１部材８２の係合片８１に係脱自在に係合する係合部としてのＤカン８４を先端に備えた弾性帯材としての平ゴム８５と、Ｄカン８４の反平ゴム８５側に止着された操作ベルト８０とを備えている。そして、第１部材８２は、柵部材２の枠体２０の貫通孔２５に対応する対応孔（図示せず）を中心部に備え、この柵部材２の枠体２０の貫通孔２５に挿通される長尺材用締結具３３が対応孔にも挿通されて当該長尺材用締結具３３により共締めされている。一方、第２部材８３は、屋根部材７の枠体７０の貫通孔２５に対応する直線部用対応孔としての対応孔（図示せず）を中心部に備え、この屋根部材７の枠体７０の貫通孔２５に挿通される締結具８８が対応孔にも挿通されて当該締結具８８により共締めされている。この場合、固定具８は、２枚の屋根部材７，７のうちの一方の屋根部材７（図１では左側の屋根部材）の一方の横杆２３（図１では左側の横杆）の左右両端（図１では上下両端）にそれぞれ設けられ、他方の屋根部材７（図１では右側の屋根部材）の枠体７０の四隅にそれぞれ設けられている。
【００３１】
ここで、固定具８によりサークル本体１０Ａに対して屋根部材７を固定する場合の手順を図８に基づいて説明する。
【００３２】
まず、図８の（ａ）に示すように、操作ベルト８０を外方（サークル本体１０Ａ外方）へ引っ張って平ゴム８５を伸張させ、図８の（ｂ）に示すように、柵部材２の上端で滑らせて平ゴム８５を下方へ引き延ばし、図８の（ｃ）に示すように、平ゴム８５先端のＤカン８４を係合片８１に係合させることによって屋根部材７をサークル本体１０Ａに固定している。
【００３３】
一方、固定具８による係合を解除するときは、逆の手順で行える。
【００３４】
また、図９にも示すように、２枚の屋根部材７，７同士は、一方の屋根部材７（図１では左側の屋根部材）のサークル本体１０Ａに対する各固定具８の固定が解除されたときに他方の屋根部材７（図１では右側の屋根部材）に対し開閉されるように開閉具としての一対のヒンジ８９，８９を介して支持されている。この各ヒンジ８９は、各屋根部材７，７の枠体７０の一方の横杆２３，２３同士の間に跨って取り付けられている。
【００３５】
したがって、本実施の形態では、各柵部材２の枠体２０と同一の枠体７０を備えた屋根部材７を用いることで、各柵部材２が屋根部材７として流用されて、屋根部材７を新たに製作する必要がなく、屋根部材７を安価に提供することができる。
【００３６】
しかも、屋根部材７が固定具８によってサークル本体１０Ａに対し脱着自在に固定されているので、屋根部材７が不慮に外れることがなく、サークル本体１０Ａ内からのペットの飛び出しや、ペット用サークル１０Ａ外からの他のペットの侵入をより確実に防止することができる。
【００３７】
更に、一方の屋根部材７のサークル本体１０Ａに対する固定具８の固定が解除されたときに、他方の屋根部材７に対し一方の屋根部材７が一対のヒンジ８９，８９を介して開閉されるので、サークル本体１０Ａの上方へ開口する開口部１９Ａを開放させる際に、各屋根部材７を取り外す必要がなく、簡単に開閉させることができる。
【００３８】
また、第２部材８３に基端を取り付けた平ゴム８５の先端のＤカン８４を第１部材８２の係合片８１に係脱自在に係合する固定具８によって屋根部材７の枠体７０が柵部材２の枠体２０に固定されるので、簡単な構成で屋根部材７をサークル本体１０Ａに固定することができる。しかも、Ｄカン８４と係合片８１との係脱により固定具８を簡単に係脱させることができる。
【００３９】
更に、柵部材２の枠体２０の貫通孔２５に挿通される長尺材用締結具３３が第１部材８２の対応孔にも挿通されて共締めされるので、第１部材８２を固定するための固定具が不要となり、部品点数を削減して、屋根部材７をより安価に提供することができる。
【００４０】
なお、本実施の形態では、一対のヒンジ８９，８９を各屋根部材７，７の枠体７０の一方の横杆２３，２３同士の間に跨って取り付けたが、図１０に示すように、一対のヒンジ８９，８９が各屋根部材７，７の枠体７０の一方の縦杆２２，２２同士の間に跨って取り付けられていてもよいのはいうまでもない。
【００４１】
次に、本発明の第２の実施の形態を図１１及び図１２に基づいて説明する。
【００４２】
この実施の形態では、４枚の屋根部材７，７，…を用いてペット用サークル１Ｂのサークル本体１０Ｂの開口部１９Ｂを閉塞している。なお、第１の実施の形態と同一の部分については同じ符号を付してその詳細な説明は省略する。
【００４３】
すなわち、本実施の形態では、図１１及び図１２に示すように、サークル本体１０Ｂは平面視で略正方形枠状に形成され、４枚の屋根部材７，７，…を縦方向及び横方向に互いに隣接して２枚ずつ組み合わせて設けられている。この横方向で隣接する２枚の柵部材２，２によって横方向に延びる第１及び第２直線部１１ａ，１１ｂが構成されている一方、縦方向で隣接する２枚の柵部材２，２によって縦方向に延びる第３及び第４直線部１１ｃ，１１ｄが構成されている。
【００４４】
そして、各屋根部材７のうちの第３直線部１１ｃ側に位置する一方の屋根部材７，７（図１１では左側の２枚の屋根部材）同士と、第４直線部１１ｄ側に位置する他方の屋根部材７，７（図１１では左側の２枚の屋根部材）同士とが、それぞれ一対のヒンジ８９，８９を介して連結されている。また、一方の屋根部材７，７を開閉させる他方の屋根部材７，７（図１１では右側の２枚の屋根部材）の一方の屋根部材７側辺同士が、それぞれの一方の横杆２３，２３の左右両側の貫通孔２５及び直線部用対応孔３１に長尺材用締結具３３を挿通させた長尺材３２によって締結されている。各屋根部材７は、角部用固定具４の扇状連結部材４１及び直線部用固定具３の長尺材３２の上面に対し枠体７０の互いに相隣なる２辺がそれぞれ載置され、サークル本体１０Ｂの内側に沿って設置されている。
【００４５】
したがって、本実施の形態においても、各柵部材２の枠体２０と同一の枠体７０を備えた屋根部材７を用いることで、各柵部材２が屋根部材７として流用されて、屋根部材７を新たに製作する必要がなく、屋根部材７を安価に提供することができる。
【００４６】
しかも、屋根部材７が固定具８によってサークル本体１０Ｂに対し脱着自在に固定されているので、屋根部材７が不慮に外れることがなく、サークル本体１０Ｂ内からのペットの飛び出しや、ペット用サークル１０Ｂ外からの他のペットの侵入をより確実に防止することができる。
【００４７】
更に、一方の屋根部材７，７のサークル本体１０Ｂに対する固定具８の固定が解除されたときに、他方の屋根部材７，７に対し一方の屋根部材７，７が一対のヒンジ８９，８９を介して開閉されるので、サークル本体１０Ｂの上方へ開口する開口部１９Ｂを開放させる際に、各屋根部材７を取り外す必要がなく、簡単に開閉させることができる。
【００４８】
また、本実施の形態では、互いに隣接する他方の屋根部材７，７の一方の屋根部材７側辺同士が、それぞれの貫通孔２５及び直線部用対応孔３１に長尺材用締結具３３を挿通させた長尺材３２によって締結されているので、角部用固定具４の扇状連結部材４１及び直線部用固定具３の長尺材３２の上面に対し枠体７０の互いに相隣なる２辺しか載置されない状態であっても、屋根部材７の重量による撓みが長尺材３２によって抑制され、サークル本体１０Ｂの開口部１９Ｂを４枚の屋根部材７，７…によって円滑に閉塞することができる。
【００４９】
なお、本実施の形態では、第３直線部１１ｃ側に位置する一方の屋根部材７，７と、第４直線部１１ｄ側に位置する他方の屋根部材７，７とを、それぞれ一対のヒンジ８９，８９を介して連結させたが、第１直線部側に位置する一方の屋根部材と第２直線部側に位置する他方の屋根部材とが、それぞれ一対のヒンジを介して連結されていてもよい。
【００５０】
また、本実施の形態では、互いに隣接する他方の屋根部材７，７の一方の屋根部材７側辺同士を、それぞれの貫通孔２５及び直線部用対応孔３１に長尺材用締結具３３を挿通させた長尺材３２によって締結したが、他方の屋根部材の反一方の屋根部材７側辺同士も、それぞれの貫通孔及び直線部用対応孔に長尺材用締結具を挿通させた長尺材によって締結されていてもよい。
【００５１】
次に、本発明の第３の実施の形態を図１３及び図１４に基づいて説明する。
【００５２】
この実施の形態では、３枚の屋根部材７，７，７を用いてペット用サークル１Ｃのサークル本体１０Ｃの開口部１９Ｃを閉塞している。なお、第１の実施の形態と同一の部分については同じ符号を付してその詳細な説明は省略する。
【００５３】
すなわち、本実施の形態では、図１３及び図１４に示すように、サークル本体１０Ｃは平面視で略長方形枠状に形成され、３枚の屋根部材７，７，…を横方向に並べて組み合わせている。
【００５４】
そして、各屋根部材７のうちの一方の屋根部材７，７（図１３では左端及び左端の２枚の屋根部材）を開閉させる他方の屋根部材７（図１３では中央の屋根部材）は、直線部用固定具３の長尺材３２の上面に対し枠体７０の互いに対向する２辺がそれぞれ載置されている。一方、一方の屋根部材７，７は、角部用固定具４の扇状連結部材４１及び直線部用固定具３の長尺材３２の上面に対し枠体７０の互いに相隣なる３辺がそれぞれ載置されている。そして、他方の屋根部材７の四隅は、固定具８によってサークル本体１０Ｃにそれぞれ固定され、一方の各屋根部材７の１辺の両端は、固定具８によってサークル本体１０Ｃにそれぞれ固定されている。
【００５５】
また、図１４にも示すように、３枚の屋根部材７，７，７同士は、一方の屋根部材７，７（図１３では左右両側の屋根部材）のサークル本体１０Ｃに対する各固定具８の固定が解除されたときに他方の屋根部材７（図１３では中央の屋根部材）に対し開閉されるように開閉具としての一対のヒンジ８９，８９を介して支持されている。この各ヒンジ８９は、他方の屋根部材７の枠体７０の双方の横杆２３，２３と一方の屋根部材７，７の枠体７０の一方の横杆２３との間に跨って取り付けられている。この場合、一方の屋根部材７，７同士の互いの干渉を回避する上で、そのうちのいずれかの屋根部材７のみを開放させるようにしている。
【００５６】
したがって、本実施の形態においても、各柵部材２の枠体２０と同一の枠体７０を備えた屋根部材７を用いることで、各柵部材２が屋根部材７として流用されて、屋根部材７を新たに製作する必要がなく、屋根部材７を安価に提供することができる。
【００５７】
しかも、屋根部材７が固定具８によってサークル本体１０Ｃに対し脱着自在に固定されているので、屋根部材７が不慮に外れることがなく、サークル本体１０Ｃ内からのペットの飛び出しや、ペット用サークル１０Ｃ外からの他のペットの侵入をより確実に防止することができる。
【００５８】
更に、一方の屋根部材７，７のサークル本体１０Ｃに対する固定具８の固定が解除されたときに、他方の屋根部材７に対し一方の屋根部材７，７が一対のヒンジ８９，８９を介して開閉されるので、サークル本体１０Ｃの上方へ開口する開口部１９Ｃを開放させる際に、各屋根部材７を取り外す必要がなく、簡単に開閉させることができる。
【００５９】
また、一方の屋根部材７，７が他方の屋根部材７に対し開閉するので、一方の屋根部材７，７のいずれかのみを開放させることが可能となり、用途に応じていずれかの屋根部材７を開放させることができる。
【００６０】
次に、本発明の第４の実施の形態を図１５及び図１６に基づいて説明する。
【００６１】
この実施の形態では、６枚の屋根部材７，７，…を用いてペット用サークル１Ｄのサークル本体１０Ｄの開口部１９Ｄを閉塞している。なお、第１の実施の形態と同一の部分については同じ符号を付してその詳細な説明は省略する。
【００６２】
すなわち、本実施の形態では、図１５及び図１６に示すように、サークル本体１０Ｄは平面視で略矩形枠状に形成され、６枚の屋根部材７，７，…を縦方向に２枚組み合わせかつ横方向に３枚組み合わせて設けられている。この横方向で隣接する３枚の柵部材２，２，２によって横方向に延びる第１及び第２直線部１１ａ，１１ｂが構成されている一方、縦方向で隣接する２枚の柵部材２，２によって縦方向に延びる第３及び第４直線部１１ｃ，１１ｄが構成されている。
【００６３】
そして、各屋根部材７のうちの一方の屋根部材７，７，７（図１１では下側の３枚の屋根部材）を開閉させる他方の屋根部材７，７，７（図１１では上側の３枚の屋根部材）の一方の屋根部材７側辺同士が、それぞれの一方の横杆２３，２３の左右両側の貫通孔２５及び直線部用対応孔３１に長尺材用締結具３３を挿通させた長尺材３２によって締結されている。この場合、サークル本体１０Ｄの四隅に位置する各屋根部材７は、角部用固定具４の扇状連結部材４１及び直線部用固定具３の長尺材３２の上面に対し枠体７０の互いに相隣なる２辺がそれぞれ載置され、サークル本体１０Ｄの四隅を除く中央に位置する各屋根部材７は、直線部用固定具３の長尺材３２の上面に対し枠体７０の１辺のみがそれぞれ載置されている。なお、互いに隣接する他方の屋根部材７，７の反一方の屋根部材７側辺同士も、それぞれの貫通孔及び直線部用対応孔に長尺材用締結具を挿通させた長尺材によって締結されていてもよい。
【００６４】
したがって、本実施の形態においても、各柵部材２の枠体２０と同一の枠体７０を備えた屋根部材７を用いることで、各柵部材２が屋根部材７として流用されて、屋根部材７を新たに製作する必要がなく、屋根部材７を安価に提供することができる。
【００６５】
しかも、屋根部材７が固定具８によってサークル本体１０Ｄに対し脱着自在に固定されているので、屋根部材７が不慮に外れることがなく、サークル本体１０Ｄ内からのペットの飛び出しや、ペット用サークル１０Ｄ外からの他のペットの侵入をより確実に防止することができる。
【００６６】
更に、一方の屋根部材７，７，７のサークル本体１０Ｄに対する固定具８の固定が解除されたときに、他方の屋根部材７，７，７に対し一方の屋根部材７，７，７が一対のヒンジ８９，８９を介して開閉されるので、サークル本体１０Ｄの上方へ開口する開口部１９Ｄを開放させる際に、各屋根部材７を取り外す必要がなく、簡単に開閉させることができる。
【００６７】
また、本実施の形態では、互いに隣接する他方の屋根部材７，７の一方の屋根部材７，７側辺同士が、それぞれの貫通孔２５及び直線部用対応孔３１に長尺材用締結具３３を挿通させた長尺材３２によって締結されているので、直線部用固定具３の長尺材３２の上面に対し枠体７０の１辺のみしか載置されない状態であっても、屋根部材７の重量による撓みが長尺材３２によって抑制され、サークル本体１０Ｄの開口部１９Ｄを６枚の屋根部材７，７…によって円滑に閉塞することができる。
【００６８】
なお、本発明は、前記各実施の形態に限定されるものではなく、その他種々の変形例を包含している。例えば、前記各実施の形態では、屋根部材７として、枠体７０に柵棒体２４，２４，…を備えた柵棒体製の枠体よりなる柵部材２を用いたが、枠体の大部分をアクリル板により覆う透明な柵部材により構成されたサークル本体では当該柵部材と同様のアクリル板製の枠体よりなる屋根部材が、枠体の大部分を合板により覆う柵部材により構成されたサークル本体では当該柵部材と同様の合板製の枠体よりなる屋根部材が、枠体の大部分をメッシュ板や金属棒により覆う柵部材により構成されたサークル本体では当該柵部材と同様のメッシュ板製や金属棒製の枠体よりなる屋根部材が、それぞれ適用されていてもよい。また、柵棒体製の枠体よりなる柵部材、アクリル板製の枠体よりなる柵部材、合板製の枠体よりなる柵部材、メッシュ板製や金属棒製の枠体よりなる柵部材などが提供されている場合には、柵部材と屋根部材とが互いに種類の異なる枠体の組合せにより構成されていてもよく、例えば、アクリル板製の枠体よりなる柵部材と、合板製の枠体よりなる屋根部材とが組合わされていてもよい。
【００６９】
また、枠体の大きさや形状は前記各実施の形態に限定されるものではなく、平面視で凹部を有する凹字状や階段形状に凹ませたサークル本体にも適用できるのはいうまでもない。
【００７０】
また、前記各実施の形態では、開閉具としてヒンジ８９を用いたが、一方の屋根部材と他方の屋根部材との互いに向き合う横杆又は縦杆同士をリング状に結わえて連結する面ファスナが開閉具として用いられていてもよい。
【００７１】
更に、前記各実施の形態では、各柵部材２、出入口用柵部材６及び屋根部材７の枠体２０，６０，７０をそれぞれ略正方形枠状に形成したが、各柵部材、出入口用柵部材及び屋根部材の枠体がそれぞれ長方形枠状に形成されていてもよい。
【符号の説明】
【００７２】
１Ａ〜１Ｄ      ペット用サークル
１０Ａ〜１０Ｄ  サークル本体
１１ａ〜１１ｄ  第１〜第４直線部
１２            角部
１９Ａ〜１９Ｄ  開口部
２              柵部材
２０            枠体
２１            左右方向端
２１１          表側辺
２１２          裏側辺
２２            縦杆
２２１          裏側面
２３            横杆
２５            貫通孔
３              直線部用固定具
３１            直線部用対応孔
３２            長尺材
３３            長尺材用締結具
４              角部用固定具
４１            扇状連結部材
４１１          半径面部
４１２          対応穴
４２            螺着部材（螺着具）
６              出入口用柵部材（柵部材）
６０            枠体
６１            左右方向端
６１１          表側辺
６１２          裏側辺
６２            縦杆
６２１          裏側面
６３            横杆
７              屋根部材
７０            枠体
８              固定具
８１            係合片
８２            第１部材
８３            第２部材
８４            Ｄカン（係合部）
８５            平ゴム（弾性帯材）
８９            ヒンジ（開閉具）
【図１】
2014050342.tif 000003
【図２】
2014050342.tif 000004
【図３】
2014050342.tif 000005
【図４】
2014050342.tif 000006
【図５】
2014050342.tif 000007
【図６】
2014050342.tif 000008
【図７】
2014050342.tif 000009
【図８】
2014050342.tif 000010
【図９】
2014050342.tif 000011
【図１０】
2014050342.tif 000012
【図１１】
2014050342.tif 000013
【図１２】
2014050342.tif 000014
【図１３】
2014050342.tif 000015
【図１４】
2014050342.tif 000016
【図１５】
2014050342.tif 000017
【図１６】
2014050342.tif 000018